(57)【特許請求の範囲】
【請求項１】
音の発生パターンを表す発音パターンデータであって、音の発生タイミングをそれぞれ規定する複数の発音開始データの時系列データからなる発音パターンデータを記憶するとともに、前記発音パターンデータに関連付けられていて、音の態様の時変動パターンであって、各時刻における音の態様をそれぞれ規定する複数のパラメータの時系列データからなる音制御パターンデータを記憶した記憶手段と、
互いに関連付けられている前記発音パターンデータ及び前記音制御パターンデータを有効化するパターンデータ有効化手段と、
前記発音開始データ及び前記パラメータに従って、音信号を発生する音信号発生手段と、
前記有効化された発音パターンデータを構成する発音開始データ、又は前記有効化された発音パターンデータに基づいて生成された発音開始データを、順次、前記音信号発生手段に順次供給する第１再生手段と、
前記有効化された音制御パターンデータを構成するパラメータを、順次、前記音信号発生手段に供給する第２再生手段と、
を備えた、電子音響装置。
【請求項２】
請求項１に記載の電子音響装置において、
互いに異なる音色の複数の音のうちの１つの音又は所定数の音を選択し、前記選択した音を発生可能であり、
前記音色と、前記発音パターンデータ及び前記音制御パターンデータとが関連付けられており、
前記１つ又は所定数の音が選択されたとき、前記選択された音の音色に関連付けられている前記発音パターンデータ及び前記音制御パターンデータが有効化される、電子音響装置。
【請求項３】
請求項１又は請求項２に記載の電子音響装置において、
前記発音パターンデータは、アルペジオを表し、
前記音制御パターンデータを構成する各パラメータが、前記アルペジオを構成する各音に対応している、電子音響装置。
【発明の詳細な説明】
【技術分野】
【０００１】
本発明は、発音パターンデータに応じた音のパターンを再生する電子音響装置に関する。
【背景技術】
【０００２】
例えば、下記特許文献１に記載されているように、複数の鍵が同時に押さえられているとき、前記複数の鍵の音高及びアルペジオの基本パターンを表すアルペジオパターンデータ（演奏パターンデータ）に基づいてアルペジオを再生するアルペジオ再生機能を備えた電子音響装置としての電子楽器は知られている。
【０００３】
また、下記特許文献２に記載されているように、楽音の態様を規定するパラメータの時変動パターンを表す楽音制御パターンデータに基づいて楽音の態様を変動させる楽音制御機能を備えた電子音響装置としての電子楽器は知られている。
【先行技術文献】
【特許文献】
【０００４】
【特許文献１】特開２０１１−１７８３２号公報
【特許文献２】特開２００２−２３７５１号公報
【発明の概要】
【０００５】
上記のアルペジオ再生機能と楽音制御機能とは、全く関連していない。したがって、アルペジオパターンデータに基づいてアルペジオを再生しつつ、その楽音の態様を楽音制御パターンデータに基づいて変化させるためには、両機能をそれぞれ起動（有効化）させる必要がある。とくに、複数のアルペジオパターンデータと複数の楽音制御パターンデータを有する場合には、使用するデータを個別に選択（有効化）する必要がある。
【０００６】
本発明は上記問題に対処するためになされたもので、その目的は、発音パターンデータ又は発音パターンデータに基づいて生成された発音データに基づいて音を再生する機能と、音制御パターンデータに基づいて前記音の態様を制御する機能とを、簡単に利用できる電子音響装置を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００７】
上記目的を達成するために、本発明の特徴は、音の発生パターンを表す発音パターンデータ（ＡＰ、ＰＨ、ＣＰ）であって、音の発生タイミングをそれぞれ規定する複数の発音開始データの時系列データからなる発音パターンデータを記憶するとともに、前記発音パターンデータに関連付けられていて、音の態様の時変動パターンであって、各時刻における音の態様をそれぞれ規定する複数のパラメータの時系列データからなる音制御パターンデータ（ＳＰ）を記憶した記憶手段（１２ｂ、１４）と、互いに関連付けられている前記発音パターンデータ及び前記音制御パターンデータを有効化するパターンデータ有効化手段（ＰＳ）と、前記発音開始データ及び前記パラメータに従って、音信号を発生する音信号発生手段（１６，１７）と、前記有効化された発音パターンデータを構成する発音開始データ、又は前記有効化された発音パターンデータに基づいて生成された発音開始データを、順次、前記音信号発生手段に順次供給する第１再生手段（Ｐ１）と、前記有効化された音制御パターンデータを構成するパラメータを、順次、前記音信号発生手段に供給する第２再生手段（Ｐ２）と、を備えた、電子音響装置（１０）としたことにある。
【０００８】
この場合、  互いに異なる音色の複数の音のうちの１つの音又は所定数の音を選択し、前記選択した音を発生可能であり、前記音色と、前記発音パターンデータ及び前記音制御パターンデータとが関連付けられており、前記１つ又は所定数の音が選択されたとき、前記選択された音の音色に関連付けられている前記発音パターンデータ及び前記音制御パターンデータが有効化されるとよい。
また、この場合、前記発音パターンデータは、アルペジオを表し、前記音制御パターンデータを構成する各パラメータが、前記アルペジオを構成する各音に対応しているとよい。
【０００９】
これによれば、ユーザは、関連付けられている発音パターンデータ及び音制御パターンデータを有効化できる。上記のように発音パターンデータと音制御パターンデータとを関連付けておくことにより、両データを個別に検索する手間を省略できる。したがって、発音パターンデータ又は発音パターンデータに基づいて生成された発音データを再生する機能と、音制御パターンデータに基づいて音の態様を変動させる機能とが関連していない場合に比べて、両機能を簡単に利用できる。
【図面の簡単な説明】
【００１０】
【図１】本発明の一実施形態に係る電子楽器の概略を示すブロック図である。
【図２】図１の電子楽器の平面図である。
【図３】パターン演奏機能が起動されている状態の電子楽器の機能ブロック図である。
【図４】アルペジオパターンデータを示す表である。
【図５】楽音制御パターンデータを示す表である。
【図６】アルペジオ演奏データを示す表である。
【図７】本発明の変形例に係るパ電子楽器の機能ブロック図である。
【図８】本発明の他の変形例に係る電子楽器の機能ブロック図である。
【発明を実施するための形態】
【００１１】
本発明の一実施形態に係る電子音響装置としての電子楽器１０について説明する。電子楽器１０は、アルペジオパターンデータに基づいてアルペジオを再生するアルペジオ再生機能と楽音の態様を楽音制御パターンデータに基づいて変動させる楽音制御機能とを統合したパターン演奏機能を備える。図１に示すように、電子楽器１０は、入力操作子１１、コンピュータ部１２、表示器１３、記憶装置１４、外部インターフェース回路１５、音源回路１６、エフェクト回路１７、サウンドシステム１８を備えており、これらがバス１９を介して接続されている。
【００１２】
電子楽器１０は、図２に示すように、複数の入力操作子１１を備える。すなわち、入力操作子１１には、楽音の発生開始及び停止を指示する鍵盤装置ＫＹが含まれる。また、入力操作子１１には、楽音の態様を変化させることを指示する、ピッチベンドホイールＰＷ、モジュレーションホイールＭＷ、リボンコントローラＲＣ、回転式の第１アサイナブルノブＫＮ１〜第８アサイナブルノブＫＮ８、スライド式の第１レバーＳＬ１〜第８レバーＳＬ８、ダンパーペダルＤＰ、エクスプレッションペダルＥＰなどのうちの１つ又は複数のハードウェアが含まれる。また、入力操作子１１には、各種設定項目を選択するカーソルキーＣＫ及びタッチパネルＴＰ、各種パラメータの値を入力する数字キーＮＫなどが含まれる。入力操作子１１は、オン・オフ操作に対応したスイッチ、回転操作に対応したロータリーポテンショメータ又はロータリーエンコーダ、スライド操作に対応したリニアポテンショメータ又はリニアエンコーダ、各種センサなどから構成される。ユーザが入力操作子１１を操作すると、その操作内容を表す情報が、バス１９を介して、後述するコンピュータ部１２に供給される。なお、ハードウェアで構成された操作子の一部又はすべての操作子に代えて、表示器１３に前記操作子を模した画像を表示し、タッチパネルＴＰの操作に応じて、前記操作子の操作内容を表す情報がコンピュータ部１２に供給されても良い。
【００１３】
コンピュータ部１２は、バス１９にそれぞれ接続されたＣＰＵ１２ａ、ＲＯＭ１２ｂ、ＲＡＭ１２ｃ及びタイマー１２ｄを有する。ＣＰＵ１２ａは、各種プログラムをＲＯＭ１２ｂから読み出して、各種処理を実行する。例えば、ＣＰＵ１２ａは、後述する音源回路１６を制御して、デジタル楽音信号を発生させる。また、例えば、ＣＰＵ１２ａは、エフェクト回路１７を制御して、前記デジタル楽音信号が表す楽音に効果を付与させる。
【００１４】
また、ＣＰＵ１２ａは、図形データ、文字データなどを用いて表示内容を表わす表示データを生成して、表示器１３に供給する。
【００１５】
ＲＯＭ１２ｂには、前記各種プログラムに加えて、各種パラメータの初期値、表示器１３に表示される画像を表す表示データを生成するための図形データ、文字データなどが記憶されている。例えば、ＲＯＭ１２ｂには、複数のパターンデータＰＤｎ＝１，２，・・・が記憶されている。パターンデータＰＤｎは、アルペジオの基本パターンをそれぞれ表す複数のアルペジオパターンデータＡＰｎ及び楽音の態様を規定するパラメータの時変動パターンをそれぞれ表す複数の楽音制御パターンデータＳＰｎを含む（図３参照）。アルペジオパターンデータＡＰｎと楽音制御パターンデータＳＰｎとが関連付けられている。アルペジオパターンデータＡＰｎは、本発明の発音パターンデータに相当し、楽音制御パターンデータＳＰｎは、本発明の音制御パターンデータに相当する。
【００１６】
アルペジオパターンデータＡＰｎは、図４に示すように、複数の構成音データＡＣｍ＝１，２，・・・からなる。各構成音データＡＣｍは、発音開始時刻を表すタイミングデータＡＴ、音の長さを表すゲートタイムデータＡＧ、音高の順位を表す音高順位データＡＲ、音域をシフトさせるオクターブシフトデータＡＯ、及び音の強さを表すベロシティデータＡＶからなる。なお、図４におけるタイミングデータＡＴの各数字は、先頭から順に、小節：拍：クロック数を表している。また、本実施形態では、１拍分のクロック数を「４８０」とする。また、図４に示すアルペジオパターンデータＡＰｎの長さは４小節である。
【００１７】
楽音制御パターンデータＳＰｎは、図５に示すように、複数の楽音制御データＳＣｍ＝１，２，・・・からなる。各楽音制御データＳＣｍは、パラメータの値の変更時刻を表すタイミングデータＳＴ、パラメータの種類を表すパラメータ識別データＳＩ、及びパラメータの設定値ＳＶからなる。図５におけるタイミングデータＳＴは、アルペジオパターンデータＡＰｎと同様に、小節：拍：クロック数を表している。また、１拍分のクロック数を「４８０」とする。また、図５に示す楽音制御パターンデータＳＰｎの長さは４小節である。
【００１８】
ＲＡＭ１２ｃには、各種プログラムの実行時に、各種データが一時的に記憶される。タイマー１２ｄは、クロック信号（パルス）を出力するクロックジェネレータを備える。このクロック信号は、例えば、アルペジオ及びパラメータの値の時変動パターンを設定されたテンポで再生する際の基準信号として利用される。
【００１９】
表示器１３は、液晶ディスプレイ（ＬＣＤ）などによって構成される。表示器１３は、ＣＰＵ１２ａから供給された表示データに基づいて画像を表示する。例えば、現在選択されている楽音の名称、前記楽音の態様を規定する各種パラメータの値などが表示される。上述のように、表示器１３がタッチパネルＴＰを備えていても良い。
【００２０】
また、記憶装置１４は、ＨＤＤ、ＤＶＤなどの大容量の不揮発性記録媒体と、各記録媒体に対応するドライブユニットから構成されている。また、記憶装置１４は、大容量のフラッシュメモリから構成されていても良い。上記のパターンデータＰＤｎ、その他のパラメータの値などが記憶装置１４に記憶されていても良い。
【００２１】
外部インターフェース回路１５は、電子楽器１０を他の電子楽器、パーソナルコンピュータなどの外部機器に有線接続可能とする接続端子、無線接続可能とする回路などを備えている。電子楽器１０は、外部インターフェース回路１５を介して、ＬＡＮ（Ｌｏｃａｌ  Ａｒｅａ  Ｎｅｔｗｏｒｋ）、インターネットなどの通信ネットワークにも接続可能である。
【００２２】
音源回路１６には波形メモリＷＭが接続されている。波形メモリＷＭには、ピアノ、オルガン、バイオリン、トランペットなどの楽音の音響波形をそれぞれ表す複数の楽音波形データが記憶されている。音源回路１６は、ＣＰＵ１２ａによって指定された楽音波形データを波形メモリＷＭから読み出す。そして、前記読み出した各楽音波形データを、ＣＰＵ１２ａから供給されたパラメータの値に応じて修正してデジタル楽音信号を生成し、エフェクト回路１７に供給する。なお、音源回路１６の方式として、波形メモリ方式に限られず、ＦＭ（周波数変調）方式、物理モデル方式、アナログシミュレーション方式など、種々の方式を採用可能である。また、専用のハードウェアによって構成されたものに限られず、ＣＰＵ、ＤＳＰなどによるソフトウェア処理によりデジタル楽音信号を生成しても良い。また、楽音に限られず、音声、効果音などのデジタル楽音信号が生成されてもよい。
【００２３】
エフェクト回路１７は、ＣＰＵ１２ａから供給されたパラメータの値に応じて、前記デジタル楽音信号が表す楽音にリバーブ、コーラスなどの効果を付与して、サウンドシステム１８に供給する。
【００２４】
サウンドシステム１８は、エフェクト回路１７から供給されたデジタル楽音信号をアナログ楽音信号に変換するＤ／Ａ変換器、及び前記アナログ楽音信号を出力する出力端子を備えている。なお、電子楽器１０がサウンドシステム１８を備えていなくてもよい。この場合、電子楽器１０は、デジタル楽音信号を外部機器へ出力し、外部機器が備えるサウンドシステムにより、デジタル楽音信号がアナログ楽音信号に変換されるとよい。
【００２５】
つぎに、電子楽器１０の動作について説明する。とくに、パターン演奏機能について説明する。まず、ユーザは、カーソルキーＣＫ、タッチパネルＴＰなどを用いて、アルペジオを演奏する際に用いる音色を選択するとともに、テンポを設定しておく。なお、パターン演奏機能を用いてアルペジオを演奏している途中であっても、音色及びテンポを変更可能である。つぎに、ユーザが、カーソルキーＣＫ、タッチパネルＴＰなどを操作して、パターン演奏機能を起動すると、ＣＰＵ１２ａは、図示しないパターン演奏プログラムを実行する。これにより、ＣＰＵ１２ａは、図３に示すように、パターンデータ選択部ＰＳ、演奏データ再生部Ｐ１及び楽音制御パターンデータ再生部Ｐ２を備えた装置として機能する。なお、演奏データ再生部Ｐ１が本発明の第１再生手段に相当し、楽音制御パターンデータ再生部Ｐ２が本発明の第２再生手段に相当する。
【００２６】
パターンデータ選択部ＰＳは、ＲＯＭ１２ｂ、記憶装置１４などに記憶されているパターンデータＰＤｎの名称のリストを表示器１３に表示し、ユーザに１つのパターンデータＰＤｎを選択させる。ユーザは、カーソルキーＣＫ、タッチパネルＴＰなどを用いて、任意のパターンデータＰＤｎを選択する。パターンデータ選択部ＰＳは、前記選択されたパターンデータＰＤｎの識別データＩＤ（例えば、パターンデータの名称）を演奏データ再生部Ｐ１及び楽音制御パターンデータ再生部Ｐ２に供給する。
【００２７】
ユーザが鍵盤装置ＫＹの鍵を押すことにより供給された演奏情報（音高、押鍵強さなどを含む情報）又は外部機器から供給された演奏情報に基づいて、演奏データ再生部Ｐ１は、以下説明するように、アルペジオ演奏データＡＳｎを生成して再生する。まず、演奏データ再生部Ｐ１は、前記演奏情報から音高を検出する。また、演奏データ再生部Ｐ１は、ＲＯＭ１２ｂ、記憶装置１４から、前記識別データＩＤによって特定されるパターンデータＰＤｎのアルペジオパターンデータＡＰｎを取得する。
【００２８】
演奏データ再生部Ｐ１は、前記検出した音高及び各構成音データＡＣｍ＝１，２，・・・，３２に基づいて、図６に示すようなアルペジオ演奏データＡＳｎを生成する。具体的には、演奏データ再生部Ｐ１は、前記検出した音高のうち、最も低い音高から最も高い音高に向かって順に、ピッチ番号として、「１」、「２」、「３」、・・・を割り当てる。つぎに、前記検出した音高を、その音高に割り当てられたピッチ番号に一致する音高順位データＡＲを有する構成音データＡＣｍに割り当てる。そして、各構成音データＡＣｍに割り当てられた音高を、オクターブシフトデータＡＯに従ってシフトさせることにより、音高データＮＮを生成する。そして、各構成音データＡＣｍからタイミングデータＡＴ、ゲートタイムデータＡＧ、音高データＮＮ、及び音の強さを表すベロシティデータＡＶを抽出して、アルペジオ演奏データＡＳｎを生成する。例えば、音高として、「Ｃ３」、「Ｅ３」、及び「Ｇ３」が検出されたとき、図６に示すようなアルペジオ演奏データＡＳｎが生成される。
【００２９】
演奏データ再生部Ｐ１は、前記生成したアルペジオ演奏データＡＳｎを繰り返し再生する。すなわち、演奏データ再生部Ｐ１は、タイミングデータＡＴに基づいて発音開始タイミングを計算する。また、演奏データ再生部Ｐ１は、前記設定されたテンポ、タイミングデータＡＴ及びゲートタイムデータＡＧに基づいて発音停止タイミングを計算する。そして、前記計算した発音開始タイミングにおいて、発音開始を表す情報並びにそのタイミングに対応する音高データＮＮ及びベロシティデータＡＶを音源回路１６に供給する。また、前記計算した発音停止タイミングにおいて、発音停止を表す情報並びにそのタイミングに対応する音高データＮＮを音源回路１６に供給する。
【００３０】
一方、ユーザが鍵盤装置ＫＹの鍵を押すことにより供給された演奏情報又は外部機器から供給された演奏情報に基づいて、楽音制御パターンデータ再生部Ｐ２は、以下説明するように、楽音制御パターンデータＳＰｎを再生する。すなわち、楽音制御パターンデータ再生部Ｐ２は、ＲＯＭ１２ｂ、記憶装置１４などから、前記識別データＩＤによって特定されるパターンデータＰＤｎの楽音制御パターンデータＳＰｎを取得する。
【００３１】
楽音制御パターンデータ再生部Ｐ２は、前記設定されたテンポ及びタイミングデータＳＴに基づいて、パラメータの値を変更するタイミングを計算する。そして、前記計算した各タイミングにおいて、そのタイミングに対応するパラメータ識別データＳＩ及びパラメータの設定値ＳＶを音源回路１６に供給する。
【００３２】
演奏データ再生部Ｐ１と楽音制御パターンデータ再生部Ｐ２の動作クロックは共通であり、アルペジオ演奏データＡＳｎと楽音制御パターンデータＳＰｎは同期再生される。
【００３３】
図４及び図５に示す例においては、タイミングデータＡＴの系列とタイミングデータＳＴの系列が一致している。すなわち、アルペジオを構成する各楽音の発音タイミングと、パラメータの値が変更されるタイミングが一致している。図５に示す例においては、各パラメータ識別データＳＩが「パン」（楽音の定位）に設定されており、各タイミングにおける設定値ＳＶが１つ前のタイミングにおける値とは異なっている。したがって、アルペジオを構成する各楽音が発音されるごとに、その定位が変更される。
【００３４】
上記のように、本実施形態においては、アルペジオパターンデータＡＰｎと楽音制御パターンデータＳＰｎとを関連付けてパターンデータＰＤｎとして記憶している。ユーザは、パターン演奏機能を起動させ、所望のパターンデータＰＤｎを選択するだけで、アルペジオパターンデータＡＰｎ及び楽音制御パターンデータＳＰｎをまとめて選択（有効化）できる。したがって、従来の電子楽器のように、両機能が関連していない場合に比べて、アルペジオ再生機能及び楽音制御機能を簡単に利用できる。
【００３５】
また、本実施形態では、アルペジオパターンデータＡＰｎのタイミングデータＡＴの系列と、楽音制御パターンデータＳＰｎのタイミングデータＳＴの系列とが一致している。このように、相性の良いデータをパターンデータＰＤｎとして記憶しておくことにより、相性の良いアルペジオパターンデータＡＰｎ及び楽音制御パターンデータＳＰｎとを個別に検索する手間を省略できるだけでなく、アルペジオの音型に適するように各楽音の態様を変動させることができる。
【００３６】
さらに、本発明の実施にあたっては、上記実施形態に限定されるものではなく、本発明の目的を逸脱しない限りにおいて種々の変更が可能である。
【００３７】
例えば、楽音制御パターンデータＳＰｎにおいて、各タイミングにおけるパラメータ識別データＳＩが同一である必要はなく、幾つかのパラメータ識別データＳＩが混在していてもよい。また、パラメータ識別データＳＩがエフェクト回路１７のパラメータ（例えば、ディストーションレベル、ディレイタイムなど）を表していても良い。この場合、楽音制御パターンデータ再生部Ｐ２は、パラメータ識別データＳＩ及び設定値ＳＶをエフェクト回路１７へ供給する。
【００３８】
上記実施形態では、アルペジオパターンデータＡＰｎのタイミングデータＡＴの系列と、楽音制御パターンデータＳＰｎのタイミングデータＳＴの系列とが一致している。しかし、これに限られず、アルペジオパターンデータＡＰｎの特徴と楽音制御パターンデータＳＰｎの特徴を考慮して、相性の良いデータ同士を関連付けて、両者をパターンデータＰＤｎとして記憶することができる。
【００３９】
また、パターンデータＰＤｎは、アルペジオパターンデータＡＰｎへのポインタと、楽音制御パターンデータＳＰｎへのポインタとから構成されていてもよい。この場合、各データが異なる記憶装置（記憶エリア）に記憶されていても良い。
【００４０】
また、１つのパターンデータＰＤｎが複数のアルペジオパターンデータＡＰ及び複数の楽音制御パターンデータＳＰを含んでいてもよい。そして、パターンデータＰＤｎが選択（又は有効化）されたとき、そのパターンデータＰＤｎにおける複数のアルペジオパターンデータＡＰ及び複数の楽音制御パターンデータＳＰのうちの１つのアルペジオパターンデータＡＰと１つ又は複数の楽音制御パターンデータＳＰを選択可能とすればよい。なお、この場合、パターンデータＰＤｎにおける複数のアルペジオパターンデータＡＰ及び複数の楽音制御パターンデータＳＰのうちのどのデータを組み合わせたとしても両データの相性が良いものとする。
【００４１】
また、上記実施形態では、鍵が押されたこと又は外部機器から演奏情報が供給されたことをトリガとして、アルペジオ演奏データＡＳｎの再生と楽音制御パターンデータＳＰｎの再生が開始され、それらが同期している。しかし、両データの再生が同期していなくてもよい。例えば、楽音制御パターンデータＳＰｎの再生に用いられるクロック信号が、アルペジオ演奏データＡＳｎの再生に用いられるクロックとは関係のないフリーランニングクロック信号であってもよい。
【００４２】
また、上記実施形態では、複数のパターンデータＰＤｎが記憶されているが、１つのパターンデータＰＤのみが記憶されていても良い。この場合、パターンデータ選択部ＰＳは、前記１つのパターンデータＰＤを有効化及び無効化する手段として機能する。
【００４３】
また、上記実施形態では、アルペジオ再生機能を備えているが、これに代えて、押された鍵又は外部機器から供給された演奏情報に対応するフレーズを再生するフレーズ再生機能を備えていても良い。この場合、図７に示すように、鍵にそれぞれ対応するフレーズを表す複数のフレーズシーケンスデータＰＨｎと楽音制御パターンデータＳＰｎとを関連付けて、パターンデータＰＤｎとして記憶しておけばよい。演奏データ再生部Ｐ１は、押された鍵に対応するフレーズシーケンスデータＰＨｎを読み出して再生すればよい。
【００４４】
また、アルペジオ再生機能に代えて、押された鍵に対応する和音を再生するコード再生機能を備えていても良い。この場合、図８に示すように、和音の型（メジャー、マイナー、セブンスなど）を表す複数のコードパターンデータＣＨｎと楽音制御パターンデータＳＰｎとを関連付けて、パターンデータＰＤｎとして記憶しておけばよい。演奏データ再生部Ｐ１は、押された鍵に対応するコードパターンデータＣＨｎを読み出して、押された鍵の音高及びコードパターンデータＣＨｎに基づいて和音を表す和音演奏データＣＰｎを生成して再生すればよい。
【００４５】
また、パターンデータＰＤｎと音色とを関連付けておき、音色が選択されたとき、その音色に関連付けられているパターンデータＰＤｎが選択（有効化）されてもよい。
【００４６】
なお、上記実施形態においては、本発明を、演奏操作子を有する電子楽器１０に適用した例を説明したが、本発明は、演奏操作子を有していない音源モジュールにも適用可能である。また、本発明は、汎用のパーソナルコンピュータ、タブレット型コンピュータなどにおいて演奏プログラムを実行することにより実現される電子音響装置にも適用可能である。これらの場合、外部インターフェース回路１５を介して外部機器から演奏情報を入力すれば良い。
【００４７】
また、図４や図５に示す例は、８分音符ごとに１個（合計３２個）の構成音データＡＣｍ及び楽音制御データＳＣｍが記憶された例を示しているが、これは単なる一例であって、もっと粗いタイミング、又は細かいタイミング、例えば４分音符や１６分音符等ごとに構成音データＡＣｍ及び楽音制御データＳＣｍが記憶されていてもよい。また、構成音データＡＣｍ及び楽音制御データＳＣｍの長さも４小節に限らない。また、１つのタイミングに複数の構成音データＡＣｍが記憶されていてもよい。また、アルペジオパターンデータＡＰｎや楽音制御パターンデータＳＰｎのデータフォーマットは上記の例に限らない。例えば、楽音制御パターンデータＳＰｎ中にはパラメータの種類を表すパラメータ識別データＳＩを含めず、単に出力されるべき設定値のみを含めておいてもよい。この場合、別途、この楽音制御パターンデータＳＰｎによって制御される対象のパラメータを特定するための識別データＳＩの設定をすることにより、制御対象パラメータ及びパラメータ設定値を発生させればよい。また、楽音制御パターン内の設定値をそのままパラメータとして利用せず、設定値を加工してからパラメータとして利用してもよい。
【００４８】
また、アルペジオパターンデータ（発音パターンデータ）に基づいて生成される音信号の態様を楽音制御パターンデータ（音制御パターンデータ）によって制御するものに代えて、又は加えて、アルペジオパターンデータに基づく音信号と同時に生成される、アルペジパターンデータとは無関係に生成される音信号の態様を楽音制御パターンデータに基づいて制御してもよい。例えば、鍵盤装置ＫＹの鍵域を２つに分割し、低音域で演奏された音高とアルペジオパターンデータに基づいてアルペジオを生成するとともに、高音域で演奏された音高に基づく楽音の態様を楽音制御パターンデータに基づいて制御してもよい。この場合にも、アルペジオパターンと相性のよい楽音制御パターンで高音域の演奏音が制御されるので、相性の良い演奏が可能となる。
【符号の説明】
【００４９】
１０・・・電子楽器、１１・・・入力操作子、１２・・・コンピュータ部、１２ｄ・・・タイマー、１３・・・表示器、１４・・・記憶装置、１５・・・外部インターフェース回路、１６・・・音源回路、１７・・・エフェクト回路、１８・・・サウンドシステム
ＡＣ・・・構成音データ、ＡＧ・・・ゲートタイムデータ、ＡＯ・・・オクターブシフトデータ、ＡＰ・・・アルペジオパターンデータ、ＡＲ・・・音高順位データ、ＡＳ・・・アルペジオ演奏データ、ＡＴ・・・タイミングデータ、ＡＶ・・・ベロシティデータ、ＣＨ・・・コードパターンデータ、ＳＩ・・・パラメータ識別データ、ＳＣ・・・楽音制御データ、ＣＰ・・・和音演奏データ、ＳＴ・・・タイミングデータ、ＳＶ・・・設定値、ＩＤ・・・識別データ、ＮＮ・・・音高データ、Ｐ１・・・演奏データ再生部、Ｐ２・・・楽音制御パターンデータ再生部、ＰＤ・・・パターンデータ、ＰＨ・・・フレーズシーケンスデータ、ＰＳ・・・パターンデータ選択部、ＳＰ・・・楽音制御パターンデータ
【図１】
0006790362.tif 000002
【図２】
0006790362.tif 000003
【図３】
0006790362.tif 000004
【図４】
0006790362.tif 000005
【図５】
0006790362.tif 000006
【図６】
0006790362.tif 000007
【図７】
0006790362.tif 000008
【図８】
0006790362.tif 000009